(57)【特許請求の範囲】
【請求項１】
第１の基板と、
第２の基板と、
前記第１の基板と前記第２の基板との間に挟持され、ベンド配向となっている液晶層と、
前記第１の基板の外側に配置された第１の１／４波長板と、
前記第２の基板の外側に配置された第２の１／４波長板と、
前記第１の１／４波長板の外側に配置された少なくとも一つの第１の偏光板と、
前記第２の１／４波長板の外側に配置された少なくとも一つの第２の偏光板と、
前記第１の基板と前記第１の１／４波長板との間に配置された第１の複屈折補償板と、
前記第２の基板と前記第２の１／４波長板との間に配置された第２の複屈折補償板と、
を備え、
前記液晶層のラビング軸は水平方向に設定され、
前記第１の１／４波長板と前記第１の偏光板とがそれぞれ逆の円偏光になるように設定し、
前記第２の１／４波長板と前記第２の偏光板とがそれぞれ逆の円偏光になるように設定し、
前記第１の１／４波長板の光軸と前記第１の偏光板の透過軸とを相互に４５度傾斜させ、
前記第２の１／４波長板の光軸と前記第２の偏光板の透過軸とを相互に４５度傾斜させ、
なおかつ前記第１の１／４波長板と前記第２の１／４波長板の光軸は相互に平行であり、
前記第１の１／４波長板が光学的に正であり、前記第２の１／４波長板が光学的に負であり、互いに複屈折を補償するように配置され、
前記第１及び第２の複屈折補償板は、ともに、構成要素が光学的に負であり、かつ、層内における主軸の傾きが変化する構造を有しており、
前記第１及び第２の複屈折補償板によって前記液晶層の複屈折を補償するものであることを特徴とする液晶表示装置。
【請求項２】
前記第１の基板上には、
複数の走査信号電極と、
前記走査信号電極にマトリクス状に交差する複数の映像信号電極と、
前記走査信号電極及び前記映像信号電極の各交点に対応して形成された複数の薄膜トランジスタと、
が形成され、
前記走査信号電極及び前記映像信号電極で囲まれる各領域に１つの画素が構成され、
前記第１の基板上には、さらに、各画素に対応する薄膜トランジスタに接続されている画素電極が形成されており、
前記第２の基板上には、複数の画素に渡って基準電位を与える共通電極が形成されていることを特徴とする請求項１に記載の液晶表示装置。
【請求項３】
前記第１の基板上には、前記画素電極と、前記走査信号電極、前記映像信号電極及び前記薄膜トランジスタとを分離する層間絶縁膜が形成されていることを特徴とする請求項２に記載の液晶表示装置。
【請求項４】
前記第１の基板上には、前記走査電極、前記映像信号電極及び前記薄膜トランジスタ上にカラーフィルタ層が形成されており、
前記画素電極と、前記走査信号電極、前記映像信号電極及び前記薄膜トランジスタとは前記カラーフィルタ層を介して分離されていることを特徴とする請求項２に記載の液晶表示装置。
【請求項５】
前記液晶層はベンド配向を安定化させるための紫外線重合性モノマーを含有していることを特徴とする請求項２に記載の液晶表示装置。
【請求項６】
前記紫外線重合性モノマーは液晶性ジアクリレートモノマーであることを特徴とする請求項５に記載の液晶表示装置。
【請求項７】
前記第１の基板及び前記第２の基板と前記液晶層との界面付近の液晶の配向が画素の短辺方向にほぼ平行であることを特徴とする請求項２乃至６の何れか一項に記載の液晶表示装置。
【請求項８】
請求項１乃至７の何れか一項に記載の液晶表示装置を製造する方法であって、
前記液晶層の液晶分子の配向を光配向技術によって制御する過程を備えることを特徴とする液晶表示装置の製造方法。
【発明の詳細な説明】
【０００１】
【発明の属する技術分野】
本発明は、広視野角かつ高速応答である大型高精細な動画対応の液晶表示装置に関する。
【０００２】
【従来の技術】
従来広く使用されているねじれネマティック（ｔｗｉｓｔｅｄ  ｎｅｍａｔｉｃ；以下「ＴＮ」と略記する）型の液晶表示装置においては、電圧非印加時の液晶分子が基板表面に平行になっている「白」表示状態から、印加電圧に応じて液晶分子が電界方向に配向ベクトルの向きを変化させていくことにより、「白」表示状態から次第に「黒」表示状態となる。
【０００３】
しかしながら、ＴＮ型液晶表示装置には、この電圧印加時における液晶分子特有の挙動により、視野角が狭いという問題がある。この視野角が狭いという問題は、中間調表示における液晶分子の立ち上がり方向において特に著しい。
【０００４】
このため、例えば、特開平４−２６１５２２号公報、特開平６−４３４６１号公報または特開平１０−３３３１８０号公報は液晶表示装置の視角特性を改善する方法を提案している。
【０００５】
これらの方法においては、ホメオトロピック配向させた液晶セルを作成し、透過軸が相互に直交するように配置した２枚の偏光板の間にその液晶セルを挟み、開口部を有する共通電極を使用することにより、各画素内に斜め電界を発生させる。この斜め電界により、各画素を２個以上の液晶ドメインとし、視角特性を改善している。
【０００６】
特開平４−２６１５２２号公報が提案している方法においては、特に、電圧を印加したときに液晶が傾く方向を制御することによって、高コントラストが実現されている。
【０００７】
また、特開平６−４３４６１号公報が提案する方法は、必要に応じて光学補償板を使用し、黒の視角特性を改善している。
【０００８】
さらに、特開平６−４３４６１号公報が提案する方法においては、ホメオトロピック配向させた液晶セルのみならず、ＴＮ配向させたセルにおいても、斜め電界により各画素を２個以上のドメインに分割し、視角特性を改善している。
【０００９】
さらに、特開平１０−３３３１８０号公報が提案する方法においては、開口部を有する共通電極によって生成される斜め電界の効果が薄膜トランジスタ、ゲ−トライン、ドレインラインからの電界に影響されることを防ぐために、薄膜トランジスタ、ゲ−トライン、ドレインラインは表示電極の下部に配置されている。
【００１０】
さらに、特開平１０−２０３２３号公報には、液晶層に２種以上の微小領域が共存する液晶表示装置において、一方の基板に開口部を形成し、開口部に第２の電極を設け、この第２の電極に電圧を印加することによって斜め電界を発生させ、画素内の液晶の配向方向を分割し、広視野角化する方法が述べられている。この方法は主にＴＮ配向させたセルについて実施される。
【００１１】
特開平５−１１３５６１号公報には、垂直配向型液晶表示装置の視野角を広げるために、電圧無印加時における液晶の複屈折率の角度依存性を打ち消すための光学的に負の複屈折補償板と、明るさを確保するための光学的に正及び負の１／４波長板とを用いることが述べられている。
【００１２】
さらに、特許第２９４７３５０号公報には、垂直配向した液晶を電圧印加時に分割するために上下の基板に突起または電極スリットを設けること、ならびに、少なくとも一方は突起であることが記載されている。
【００１３】
また、公表特許平５−５０５２４７号公報には、液晶分子を基板と水平方向に保ったまま回転させるため、２つの電極をともに一方の基板上に設け、この２つの電極間に電圧を印加し、基板と水平方向の電界を生じさせるようにしたＩｎ−Ｐｌａｎｅ  Ｓｗｉｔｃｈｉｎｇ（ＩＰＳ）方式の液晶表示装置が提案されている。このＩＰＳ方式の液晶表示装置では、電圧を印加したときに液晶分子の長軸が基板に対して立ち上がることはない。このため、視角方向を変えたときの液晶の複屈折変化が小さく、視野角が広いという特徴がある。
【００１４】
さらに、Ｊｏｕｒｎａｌ  ｏｆ  Ａｐｐｌｉｅｄ  Ｐｈｙｓｉｃｓ，Ｖｏｌ．４５，Ｎｏ．１２（１９７４）５４６６及び特開平１０−１８６３５１号公報には、上記のＩＰＳモ−ドの他に、誘電率異方性が正の液晶をホメオトロピック配向させておき、基板に水平方向の電界を発生させ、液晶分子を基板と水平方向に倒す方法が述べられている。この方法によれば、電界の方向のためホメオトロピック配向させた液晶分子は傾く方向が異なる２つ以上の領域に分かれる結果、視野角の広い液晶表示装置が得られる。
【００１５】
また、特開平１０−１８６３３０号公報には、感光性物質を用いて正方形の壁を作成し、この構造を基本単位として画素を形成し、電圧の印加により誘電率異方性が負である液晶を各画素内で分割して倒す方法が提案されている。
【００１６】
しかし、従来のＴＮ方式および上記手段のいずれも、応答速度が遅いという問題がある。ネマティック液晶を使用した液晶表示装置は一般に応答速度は遅い。階調間の応答時間が最大で１００ｍｓ程度にもなり、高速な動画表示には対応できない。
【００１７】
このため、従来から、広視野角かつ高速応答である液晶表示方式が求められている。
【００１８】
例えば、Ｙ．Ｙａｍａｇｕｃｈｉ，ｅｔ  ａｌ．，ＳＩＤ’９３  Ｄｉｇｅｓｔ，ｐｐ２７７−２８０、あるいは、特開平７−８４２５４号公報には、Ｏｐｔｉｃａｌｌｙ  Ｃｏｍｐｅｎｓａｔｅｄ  Ｂｉｒｅｆｒｉｎｇｅｎｃｅ（以下、「ＯＣＢ」と略記する）方式は、広視野角であることに加えて高速応答であることが述べられている。ＯＣＢ方式で用いられる液晶セルはベンド配向になっており、πセルとも呼ばれている。πセルが高速応答を示すことは、例えば、特開昭５５−１４２３１６号公報にも述べられている。
【００１９】
図８に、ＯＣＢ方式の液晶表示装置の基本構成の一例を示す。
【００２０】
図８に示す液晶表示装置は、互いのラビング方向が平行となるように重ね合わされた２枚のガラス基板８０２、８０３と、ガラス基板８０２、８０３に挟持されたベンド配向状態の液晶層８０１と、２枚のガラス基板８０２、８０３の各々を外側から挟んでいる２枚の複屈折補償板８０４、８０５と、複屈折補償板８０４、８０５の各々を外側から挟んでいる２枚の偏光板８０６、８０７と、からなっている。
【００２１】
複屈折補償板８０４、８０５は、光学的に負であり、かつ、層内における主軸の傾きが変化する構造を有する、ディスコティック液晶を用いた複屈折補償板である。
【００２２】
ベンド配向は、その構造上、ラビング方向において常に自己補償性を有し、光学的に対称な特性を示す。
【００２３】
空間分割型のフルカラー表示を行うアクティブマトリクス駆動においては、一つの画素は縦対横の長さの比がほぼ３対１の縦長の形状を有する。このような場合、ベンド配向の安定性を考慮すれば、ラビング方向は画素の短辺方向、すなわち、水平方向とすることが有利である。
【００２４】
また、ディスプレイとしての視野角特性を考慮しても、自己補償性を有するラビング方向は、水平方向に配置される。
【００２５】
ベンド配向における液晶分子の配向変化は、光学軸方向、すなわち、界面における液晶分子の配向方向に平行かつ基板に垂直な面内で最大となる。従って、透過軸が相互に直交する２枚の偏光板で液晶層を挟んだ場合、複屈折が最大となるのは光学軸方向を偏光板の透過軸に対して４５°の方向に配置した場合となる。ラビング方向を水平方向に固定すると、必然的に、２枚の偏光板８０６、８０７の透過軸は４５°方向となる。
【００２６】
ＯＣＢ方式の駆動方法は、低電圧側で黒表示を行うノーマリーブラック駆動と、高電圧側で黒表示を行うノーマリーホワイト駆動の２通りがあるが、補償する複屈折が大きいノーマリーブラック駆動は、波長分散による光漏れが大きく、十分なコントラストを得ることが困難である。
【００２７】
このため、特開平８−３２７８２２号公報においては、図８に示すような２枚の負の複屈折補償板８０４、８０５を用いたノーマリーホワイト駆動を行うことによって、上記の問題を解決している。すなわち、高電圧側では界面付近を除くほとんどの液晶分子が垂直に配向している。両界面の残留複屈折を、２枚の負の複屈折補償板８０４、８０５によってそれぞれ補償することにより、広視野角特性を得ている。
【００２８】
【発明が解決しようとする課題】
しかしながら、上記のような従来構造のＯＣＢ方式においては、４５°方向、すなわち、偏光板の透過軸方向の視野角特性が良好になる。
【００２９】
ＯＣＢ方式に限らず、一般に複屈折を利用した液晶表示装置の黒表示においては、偏光板自身の視野角依存性により、偏光板の透過軸方向の視野角特性が良好になる。
【００３０】
従って、２枚の偏光板の透過軸を使用者の所望の方向に配置できることが望ましいが、現状の構成では、２枚の偏光板の透過軸を動かすためには同時に液晶層の光学軸方向を動かす必要がある。しかしながら、液晶層の光学軸方向を水平方向から動かすことはベンド配向の安定性上好ましくない。
【００３１】
このように、従来のＯＣＢ方式の液晶表示装置には、偏光板の透過軸の配置に自由度がなく、広視野角特性を十分に活用することができないという問題があった。
【００３２】
また、従来のＯＣＢ方式の液晶表示装置では、高輝度及び高コントラストを得るためには正確な液晶の配向方向の制御が要求される。すなわち、配向方向のずれにより、輝度及びコントラストが低下するという、製造工程上のプロセス裕度が低いという問題があった。
【００３３】
本発明は上記のような従来の液晶表示装置における問題点に鑑みてなされたものであり、ＯＣＢ方式の液晶表示装置において、ベンド配向になっている液晶層の光学軸の方向に支配されることなく、偏光板の透過軸の配置の自由度を確保することができ、ひいては、所望の視野角特性を得ることができる液晶表示装置を提供することを目的とする。
【００３４】
本発明は、さらに、液晶の配向方向が多少ずれても、光学特性が大きく悪化することなく、従って、製造工程上のプロセス裕度を高めることができる液晶表示装置を提供することを目的とする。
【００３５】
【課題を解決するための手段】
この目的を達成するため、本発明は、第１の基板と、第２の基板と、前記第１の基板と前記第２の基板との間に挟持され、ベンド配向となっている液晶層と、前記第１の基板の外側に配置された第１の１／４波長板と、前記第２の基板の外側に配置された第２の１／４波長板と、前記第１の１／４波長板の外側に配置された少なくとも一つの第１の偏光板と、前記第２の１／４波長板の外側に配置された少なくとも一つの第２の偏光板と、前記第１の基板と前記第１の１／４波長板との間に配置された第１の複屈折補償板と、前記第２の基板と前記第２の１／４波長板との間に配置された第２の複屈折補償板と、を備え、前記液晶層のラビング軸は水平方向に設定され、前記第１の１／４波長板と前記第１の偏光板とがそれぞれ逆の円偏光になるように設定し、前記第２の１／４波長板と前記第２の偏光板とがそれぞれ逆の円偏光になるように設定し、前記第１の１／４波長板の光軸と前記第１の偏光板の透過軸とを相互に４５度傾斜させ、前記第２の１／４波長板の光軸と前記第２の偏光板の透過軸とを相互に４５度傾斜させ、なおかつ前記第１の１／４波長板と前記第２の１／４波長板の光軸は相互に平行であり、前記第１の１／４波長板が光学的に正であり、前記第２の１／４波長板が光学的に負であり、互いに複屈折を補償するように配置され、前記第１及び第２の複屈折補償板は、ともに、構成要素が光学的に負であり、かつ、層内における主軸の傾きが変化する構造を有しており、前記第１及び第２の複屈折補償板によって前記液晶層の複屈折を補償するものであることを特徴とする液晶表示装置を提供する。
【００３６】
本発明によれば、液晶層に入射する光を円偏光に変換することによって、偏光板の透過軸を所望の方向に設定することを可能にし、任意の方向の視野角特性を最も良好にすることができる。
【００３８】
第１の偏光板の透過軸に対して光軸が４５°傾くように第１の１／４波長板を配置すると、第１の偏光板を透過した直線偏光は、第１の１／４波長板によって円偏光に変換される。入射方向から見て、第１の１／４波長板の光軸が第１の偏光板の透過軸から右４５°の方向に傾いていれば右円偏光に、左４５°の方向に傾いていれば左円偏光となる。
【００３９】
例えば、出射側に配置する第２の１／４波長板の光軸は、第１の１／４波長板の光軸と平行に配置し、第２の偏光板の透過軸は第１の偏光板の透過軸と直交するように配置したとする。２枚の１／４波長板の間に積層された複屈折媒体の全リタデーションがπならば、右円偏光は左円偏光として出射し、第２の１／４波長板により、入射した直線偏光と直交する直線偏光に変換される。このとき透過光の明るさは最大となる。従って、液晶層の光学軸をいかなる方向に配置しても、また、液晶層と第１または第２の基板との界面付近における初期配向方向がずれたとしても、最大の透過光強度が得られる。全リタデーションが０ならば、右円偏光は右円偏光のまま出射し、第２の１／４波長板により、入射した直線偏光と平行な直線偏光に変換される。このとき透過光強度は０となる。
【００４０】
以上を応用すると、液晶層の光学軸は水平方向に配置してベンド配向の安定性を高め、かつ、第１及び第２の偏光板の透過軸は、それらを相互に直交させること以外に制約を受けずに、自由な方向に配置することができ、望ましい方向、例えば、水平垂直方向の視野角を広くすることが可能になる。
【００４１】
このように、本発明に係る液晶表示装置によれば、従来の液晶表示装置の構成に２枚の１／４波長板を追加するだけで、作製プロセスを大きく変更することなく、使用者の希望の視野角特性を得ることができる。
【００４４】
また、１／４波長板には波長分散という問題もあるが、材質として波長分散の小さいノルボルネン系透明耐熱性樹脂（ＪＳＲ株式会社製、商品名アートン）を使用し、あるいは、１／４波長板と１／２波長板との積層構造とするなどの方法により、広帯域化を図ることができる。
【００４９】
また、本発明に係る液晶表示装置においては、第１の基板上には、複数の走査信号電極と、走査信号電極にマトリクス状に交差する複数の映像信号電極と、走査信号電極及び映像信号電極の各交点に対応して形成された複数の薄膜トランジスタと、が形成され、走査信号電極及び映像信号電極で囲まれる各領域に１つの画素が構成され、第１の基板上には、さらに、各画素に対応する薄膜トランジスタに接続されている画素電極が形成されており、第２の基板上には、複数の画素に渡って基準電位を与える共通電極が形成されていることが好ましい。
【００５０】
第１の基板上には、画素電極と、走査信号電極、映像信号電極及び薄膜トランジスタとを分離する層間絶縁膜が形成されていることが好ましい。
【００５１】
また、第１の基板上には、走査電極、映像信号電極及び薄膜トランジスタ上にカラーフィルタ層が形成されており、画素電極と、走査信号電極、映像信号電極及び薄膜トランジスタとはカラーフィルタ層を介して分離されていることが好ましい。
【００５２】
液晶層はベンド配向を安定化させるための紫外線重合性モノマー、例えば、液晶性ジアクリレートモノマーを含有していることが好ましい。
【００５３】
第１の基板及び第２の基板と液晶層との界面付近の液晶の配向が画素の短辺方向にほぼ平行であることが好ましい。
【００５４】
さらに、本発明は上記の液晶表示装置を製造する方法を提供する。この方法は、液晶層の液晶分子の配向を光配向技術によって制御する過程を備えることを特徴とする。
【００５５】
【発明の実施の形態】
以下、本発明の実施の形態について、具体的に説明する。
【００５６】
（第１の実施の形態）
図１は、本発明の第１の実施形態に係る液晶表示装置の分解構成図である。
【００５７】
本実施形態に係る液晶表示装置は、第１の基板１０２と、第２の基板１０３と、第１の基板１０２と第２の基板１０３との間に挟持され、ベンド配向となっている液晶層１０１と、第１の基板１０２の外側に配置された第１の１／４波長板１０８と、第１の１／４波長板１０８の外側に配置された第１の偏光板１０６と、第２の基板１０３の外側に配置された第２の１／４波長板１０９と、第２の１／４波長板１０９の外側に配置された第２の偏光板１０７と、を備えている。
【００５８】
本実施形態に係る液晶表示装置は次のように作動する。
【００５９】
第１の偏光板１０６を通過した入射光は第１の偏光板１０６により直線偏光に変換される。第１の１／４波長板１０８の光軸は入射方向から見て偏光子の透過軸から右４５°の方向に配置されている。従って、入射光は直線偏光から右円偏光に変換される。
【００６０】
ベンド配向になっている液晶層１０１のリタデーションがπである場合、入射した右円偏光は左円偏光として出射する。
【００６１】
その後、第１の１／４波長板１０８と平行に光軸が配置された第２の１／４波長板１０９により、入射した直線偏光と直角をなす直線偏光に変換される。すなわち、これは入射した直線偏光が９０°旋光したことに等しい。
【００６２】
こうして、第２の１／４波長板１０９を出射してきた直線偏光は、第２の偏光板１０７の透過軸と平行であるため、明るさが最大となる。
【００６３】
以上のことから、本実施形態に係る液晶表示装置は、液晶層１０１の光学軸をどのような方向に配置しても、出射光強度の最大値は一定となる。
【００６４】
また、液晶層１０１の液晶はベンド配向であるため、オンまたはオフの応答速度を加えても７ｍｓと非常に速い応答が得られる。
【００６５】
（第２の実施の形態）
図２は、本発明の第２の実施形態に係る液晶表示装置の分解構成図である。
【００６６】
本実施形態に係る液晶表示装置は、第１の基板２０２と、第２の基板２０３と、第１の基板２０２と第２の基板２０３との間に挟持され、ベンド配向となっている液晶層２０１と、第１の基板２０２の外側に配置された第１の複屈折補償板２０４と、第１の複屈折補償板２０４の外側に配置された第１の１／４波長板２０８と、第１の１／４波長板２０８の外側に配置された第１の偏光板２０６と、第２の基板２０３の外側に配置された第２の複屈折補償板２０５と、第２の複屈折補償板２０５の外側に配置された第２の１／４波長板２０９と、第２の１／４波長板２０９の外側に配置された第２の偏光板２０７と、を備えている。
【００６７】
第１及び第２の複屈折補償板２０４、２０５を構成している各構成要素は何れも光学的に負であり、第１及び第２の複屈折補償板２０４、２０５においては、ディスコティック液晶が層内で傾斜している。第１及び第２の複屈折補償板２０４、２０５は、黒表示状態における液晶層２０１の複屈折を補償する。
【００６８】
本実施形態に係る液晶表示装置は、第１及び第２の複屈折補償板２０４、２０５を備えている点において、第１の実施形態に係る液晶表示装置と異なっている。
【００６９】
本実施形態に係る液晶表示装置は次のように作動する。
【００７０】
第１の偏光板２０６を通過した入射光は第１の偏光板２０６により直線偏光に変換される。第１の１／４波長板２０８の光軸は、入射方向から見て偏光子の透過軸から右４５°の方向に配置されている。従って、入射光は直線偏光から右円偏光に変換される。
【００７１】
白状態では、ディスコティック液晶を用いた第１及び第２の複屈折補償板２０４、２０５によって、ベンド配向になっている液晶層２０１を補償した結果、リタデーションはπとなる。従って、入射してきた右円偏光は、第２の複屈折補償板２０５から左円偏光として出射する。この場合、第２の１／４波長板２０９によって、左円偏光は入射した直線偏光と直角をなす直線偏光に変換される。すなわち、これは入射した直線偏光が９０°旋光したことに等しい。
【００７２】
このように、第２の１／４波長板２０９を出射してきた直線偏光は、第２の偏光板２０７の透過軸と平行であるため、明るさが最大となる。
【００７３】
黒状態では、ディスコティック液晶を用いた第１及び第２の複屈折補償板２０４、２０５によって、ベンド配向をとっている液晶層２０１の複屈折が補償され、リタデーションは０となる。従って、入射してきた右円偏光は、第２の複屈折補償板２０５から右円偏光のまま出射する。その後、第１の１／４波長板２０８と平行に光軸が配置された第２の１／４波長板２０９により、入射した直線偏光と同じ直線偏光に変換される。
【００７４】
このように、出射してきた直線偏光は、透過軸が第１の偏光板２０６の透過軸と直交する第２の偏光板２０７によって遮られる。
【００７５】
以上により、ノーマリーホワイト駆動が可能になる。白状態の透過率は、液晶層２０１の光学軸方向には依存せず、常に一定となる。
【００７６】
また、黒状態が補償されているので、表示装置を見る角度によらず、視認性のよい画像が得られ、非常に広視野角の表示装置が得られる。
【００７７】
さらに、液晶層２０１の液晶がベンド配向であることを反映し、他の液晶モ−ドに比べ、非常に高速の応答が得られる。
【００７８】
（第３の実施の形態）
図３は、本発明の第３の実施形態に係る液晶表示装置の分解構成図である。
【００７９】
本実施形態に係る液晶表示装置は、第１の基板３０２と、第２の基板３０３と、第１の基板３０２と第２の基板３０３との間に挟持され、ベンド配向となっている液晶層３０１と、第１の基板２０２の外側に配置された第１の１／４波長板３０８と、第１の１／４波長板３０８の外側に配置された第１の偏光板３０６と、第２の基板３０３の外側に配置された複屈折補償板３０５と、複屈折補償板３０５の外側に配置された第２の１／４波長板３０９と、第２の１／４波長板３０９の外側に配置された第２の偏光板３０７と、を備えている。
【００８０】
複屈折補償板３０５においては、ディスコティック液晶が層内で傾斜している。また、第２の１／４波長板３０９は、第１の１／４波長板３０８の光軸とほぼ平行な方向を光軸とし、さらに、負の光学活性を有している。
【００８１】
本実施形態に係る液晶表示装置は、複屈折補償板３０５により、黒表示状態における液晶層３０１の複屈折を補償する点及び第２の１／４波長板３０９を用いて、黒表示時における第１及び第２の偏光板３０６、３０７間の複屈折を全体として０にする点において、第１の実施形態に係る液晶表示装置と異なっている。
【００８２】
本実施形態に係る液晶表示装置は次のように作動する。
【００８３】
第１の偏光板３０６を通過した入射光は第１の偏光板３０６により直線偏光に変換される。
【００８４】
第１の１／４波長板３０８の光軸は入射方向から見て偏光子の透過軸から右４５°の方向に傾いている。また、第１の１／４波長板３０８は第２の１／４波長板３０９と補償し合い、第１の１／４波長板３０８が有する複屈折を相殺するように設計されている。
【００８５】
白状態では、ディスコティック液晶を用いた負の複屈折補償板３０５が、ベンド配向をとっている液晶層３０１を補償した結果、リタデーションはπとなる。従って、入射してきた右円偏光は複屈折補償板３０５から左円偏光として出射する。この場合、第２の１／４波長板３０９によって、左円偏光は入射した直線偏光と直角をなす直線偏光に変換される。すなわち、これは入射した直線偏光が９０°旋光したことに等しい。
【００８６】
このように、第２の１／４波長板３０９を出射してきた直線偏光は、第２の偏光板３０７の透過軸と平行であるため、明るさが最大となる。
【００８７】
黒状態では、ディスコティック液晶を用いた負の複屈折補償板３０５によって、ベンド配向をとっている液晶層３０１の複屈折が補償され、リタデーションは０となる。従って、入射してきた右円偏光は複屈折補償板３０５から右円偏光のまま出射する。その後、第１の１／４波長板３０８と平行に光軸が配置された第２の１／４波長板３０９により、入射した直線偏光と同じ直線偏光に変換される。
【００８８】
この結果、出射してきた直線偏光は、透過軸が第１の偏光板３０６の透過軸と直交している第２の偏光板３０７によって遮られる。
【００８９】
以上により、ノーマリーホワイト駆動が可能になる。白状態及び黒状態の透過率は、液晶層３０１の光学軸方向には依存せず、常に一定となる。
【００９０】
本実施形態に係る液晶表示装置によれば、第２の実施の形態と同様に、黒状態が補償されているので、液晶表示装置を見る角度によらず、視認性のよい画像が得られ、非常に広視野角の表示装置が得られる。
【００９１】
さらに、ベンド配向であることを反映し、他の液晶モ−ドに比べ、非常に高速の応答が得られる。
【００９２】
（第４の実施の形態）
図４は、本発明の第４の実施形態に係る液晶表示装置の分解構成図である。
【００９３】
本実施形態に係る液晶表示装置は、第１の基板４０２と、第２の基板４０３と、第１の基板４０２と第２の基板４０３との間に挟持され、ベンド配向となっている液晶層４０１と、第１の基板４０２の外側に配置された第１の１／４波長板４０８と、第１の１／４波長板４０８の外側に配置された第１の偏光板４０６と、第２の基板４０３の外側に配置された２軸性複屈折補償板４０５と、２軸性複屈折補償板４０５の外側に配置された第２の１／４波長板４０９と、第２の１／４波長板４０９の外側に配置された第２の偏光板４０７と、を備えている。
【００９４】
２軸性複屈折補償板４０５は光学的に正である複屈折補償板であり、黒表示状態における液晶層４０１の複屈折を補償する。
【００９５】
本実施形態に係る液晶表示装置は、２軸性複屈折補償板４０５を備えている点において、第１の実施形態に係る液晶表示装置と異なっている。
【００９６】
本実施形態に係る液晶表示装置は次のように作動する。
【００９７】
第１の偏光板４０６を通過した入射光は第１の偏光板４０６により直線偏光に変換される。第１の１／４波長板４０８の光軸は、入射方向から見て偏光子の透過軸から右４５°の方向に傾いている。従って、入射光は直線偏光から右円偏光に変換される。
【００９８】
黒状態では、正の２軸性複屈折補償板４０５によって、ベンド配向をとっている液晶層４０１の複屈折が補償され、リタデーションは０となる。従って、入射してきた右円偏光は、正の２軸性複屈折補償板４０５から右円偏光のまま出射する。その後、第１の１／４波長板４０８の光軸と平行に光軸が配置された第２の１／４波長板４０９により、入射した直線偏光と同じ直線偏光に変換される。
【００９９】
こうして出射してきた直線偏光は、第１の偏光板４０６の透過軸と直交する透過軸を有する第２の偏光板４０７によって遮られる。
【０１００】
白状態では、２軸性複屈折補償板４０５がベンド配向をとっている液晶層４０１を補償した結果、リタデーションはπとなる。従って、入射してきた右円偏光は、正の２軸性複屈折補償板４０５から左円偏光として出射する。この場合、第２の１／４波長板４０９によって、左円偏光は入射した直線偏光と直角をなす直線偏光に変換される。すなわち、これは入射した直線偏光が９０°旋光したことに等しい。
【０１０１】
この結果、第２の１／４波長板４０９を出射してきた直線偏光は、第２の偏光板４０７の透過軸と平行であるため、明るさが最大となる。
【０１０２】
以上により、ノーマリーホワイト駆動が可能になる。白状態及び黒状態の透過率は、液晶層４０１の光学軸方向には依存せず、常に一定となる。
【０１０３】
本実施形態においては、液晶層４０１を一つの２軸性複屈折媒体とみなして補償している。液晶分子の大部分が垂直に立ち上がる高電圧側では、１枚の正の２軸性複屈折補償板４０５で補償して黒を表示するのは難しいので、この場合はノーマリーブラック駆動とする。
【０１０４】
第２の実施の形態と同様に、黒状態が補償されているので、液晶表示装置を見る角度によらず、視認性のよい画像が得られ、非常に広視野角の表示装置が得られる。
【０１０５】
さらに、液晶層４０１の液晶がベンド配向であることを反映し、他の液晶モ−ドに比べ、非常に高速の応答が得られる。
【０１０６】
（第５の実施の形態）
図５及び図６は第５の実施形態に係る液晶表示装置を示す。図５は、本実施形態に係る液晶表示装置の１画素を示す平面図であり、図６は、本実施形態に係る液晶表示装置の断面図である。
【０１０７】
図５に示すように、本実施形態に係るアクティブマトリクス型の液晶表示装置においては、第１の基板６０６（図６参照）上に、マトリクス状に交差した走査信号電極５０８及び映像信号電極５１０と、走査信号電極５０８と映像信号電極５１０との各交点に対応して形成された複数の薄膜トランジスタ５１１と、走査信号電極５０８及び映像信号電極５１０で囲まれた各領域に形成された画素電極５０４とが形成されている。
【０１０８】
また、図６に示すように、本実施形態に係るアクティブマトリクス型の液晶表示装置においては、第１の基板６０６上に、走査信号電極（ゲート電極）６０８と、走査信号電極６０８を覆って第１の基板６０６上に形成されたゲート絶縁膜６０９と、ゲート絶縁膜６０９上に形成された映像信号電極６１０（ソース電極）及びドレイン電極６１２と、映像信号電極６１０、ドレイン電極６１２及びゲート絶縁膜６０９を覆う絶縁膜６０５と、絶縁膜６０５上に形成された画素電極６０４と、画素電極６０４上に形成された配向膜６０３と、が形成されている。
【０１０９】
画素電極６０４は、絶縁膜６０５に形成されたコンタクトホール６１４を介して、ドレイン電極６１２と接続されている。
【０１１０】
走査信号電極（ゲート電極）６０８、映像信号電極６１０（ソース電極）及びドレイン電極６１２が薄膜トランジスタ６１１を形成している。
【０１１１】
また、第２の基板６０１上には、カラーフィルタ６１３と、カラーフィルタ６１３と同一層上に形成された遮光膜６１５と、カラーフィルタ６１３及び遮光膜６１５上に形成された共通電極６０２と、共通電極６０２上に形成された配向膜６０３と、が形成されている。
【０１１２】
第１の基板６０６と第２の基板６０１との間に液晶層６０７が挟持されている。
【０１１３】
本実施形態に係る液晶表示装置においては、画素電極６０４と、走査信号電極６０８、映像信号電極６１０及び前記薄膜トランジスタ６１１とは絶縁膜６０５を介して分離されている。
【０１１４】
なお、図５及び図６においては偏光板、１／４波長板、複屈折補償板を省略した。
【０１１５】
通常の透過型液晶表示装置では、走査信号電極５０８、映像信号電極５１０及び薄膜トランジスタ５１１と、画素電極５０４とは同一層上に形成されている。従って、画素電極５０４上の液晶分子の配向が走査信号電極５０８、映像信号電極５１０及び薄膜トランジスタ５１１の影響を受けやすく、ベンド配向の安定性が問題となる場合がある。
【０１１６】
これに対して、本実施形態に係る液晶表示装置においては、薄膜トランジスタ６１１を用いたアクティブ素子により、液晶のスイッチングを行い、さらに、第１の基板６０６上において、画素電極６０４と走査信号電極６０８、映像信号電極６１０及び薄膜トランジスタ６１１とを絶縁層６０５により分離し、ベンド配向の安定性を高めている点が上述の第１乃至第４の実施の形態と異なっている。
【０１１７】
本実施形態においては、ＯＣＢ方式において重要である駆動時のベンド配向の安定性を高めることができ、広視野角かつ高速応答な表示が得られる。
【０１１８】
なお、本実施形態は、上述の第１乃至第４の何れの実施形態に対しても適用することが可能である。
【０１１９】
なお、空間分割方式のフルカラー液晶表示装置においては、一つの画素は縦対横の長さ比がほぼ３対１の縦方向に長い形状になっているが、ゲ−ト及びドレインからの横方向電界の影響を考慮すると、界面における液晶分子の配向方向は、画素の短辺方向に平行に設定すると、ベンド配向の安定性が良くなる。
【０１２０】
配向方法としてはラビングが代表的であるが、ラビングには限らない。光配向技術を用いることもできる。
【０１２１】
また、さらなる安定性向上のために、液晶性ジアクリレートモノマーなどの紫外線重合性モノマーを液晶層６０７中に添加し、ベンド配向させた状態で紫外線を照射し、高分子化して安定化を図ることもできる。
【０１２２】
（第６の実施の形態）
図７は第６の実施形態に係る液晶表示装置を示す。図７は、本実施形態に係る液晶表示装置の断面図である。
【０１２３】
図７に示すように、本実施形態に係る液晶表示装置においては、第１の基板７０６上に、走査信号電極（ゲート電極）７０８と、走査信号電極７０８を覆って第１の基板７０６上に形成されたゲート絶縁膜７０９と、ゲート絶縁膜７０９上に形成された映像信号電極７１０（ソース電極）及びドレイン電極７１２と、映像信号電極７１０、ドレイン電極７１２及びゲート絶縁膜７０９を覆う絶縁膜７０５と、絶縁膜７０５上に形成されたカラーフィルタ７１３と、走査信号電極６０８の上方において、カラーフィルタ７１３と同層に絶縁膜７０５上に形成された遮光膜７１５と、カラーフィルタ７１３及び遮光膜７１５を覆って絶縁膜７０５上に形成されたオーバーコート膜７１６と、オーバーコート膜７１６上に形成された画素電極７０４と、画素電極７０４上に形成された配向膜７０３と、が形成されている。
【０１２４】
画素電極４０４は、オーバーコート膜７１６及び絶縁膜７０５に形成されたコンタクトホール７１４を介して、ドレイン電極７１２と接続されている。
【０１２５】
走査信号電極（ゲート電極）７０８、映像信号電極７１０（ソース電極）及びドレイン電極７１２が薄膜トランジスタ７１１を形成している。
【０１２６】
また、第２の基板７０１上には、共通電極７０２と、共通電極７０２上に形成された配向膜７０３と、が形成されている。
【０１２７】
第１の基板７０６と第２の基板７０１との間に液晶層７０７が挟持されている。
【０１２８】
本実施形態においては、第１の基板７０６上において画素電極７０４と、走査信号電極７０８、映像信号電極７１０及び薄膜トランジスタ７１１とをカラーフィルタ７１３により分離し、ベンド配向の安定性を高めている点が第５の実施形態と異なっている。
【０１２９】
第５の実施形態においては、カラーフィルタ６１３は共通電極６０２を有する第２の基板６０１側に形成されているが、本実施形態においては、図７に示すように、第１の基板７０６側に設けている。走査信号電極７０８および映像信号電極７１０および薄膜トランジスタ７１１を絶縁層７０５で覆い、その上に遮光膜７１５およびカラーフィルタ７１３を形成する。さらに、オーバーコート膜７１６で覆い、オーバーコート膜７１６の上に画素電極７０４を形成する。画素電極７０４は、コンタクトホール７１４を介して、ドレイン電極７１２と接続されている。
【０１３０】
なお、図７においては偏光板、１／４波長板、複屈折補償板を省略した。
【０１３１】
本実施形態に係る液晶表示装置によれば、画素電極７０４と、走査信号電極７０８、映像信号電極７１０及び薄膜トランジスタ７１１とが、絶縁膜７０５及びカラーフィルタ７１３を介して、分離されるのみならず、第１の基板７０６と第２の基板７０１との重ね合わせに高い精度を必要としないので、製造工程上の余裕が生まれるという利点もある。
【０１３２】
本実施形態に係る液晶表示装置によれば、ＯＣＢ方式において重要である駆動時のベンド配向の安定性が高く、広視野角かつ高速応答な表示が得られる。
【０１３３】
本実施形態は、上述の第１乃至第４の何れの実施形態にも適用することができる。
【０１３４】
なお、第５の実施形態の場合と同様に、空間分割方式のフルカラー液晶表示装置においては、一つの画素は縦対横の長さ比がほぼ３対１の縦方向に長い形状になっているが、ゲ−ト及びドレインからの横方向電界の影響を考慮すると、界面における液晶分子の配向方向を画素の短辺方向に平行に設定すると、ベンド配向の安定性が良くなる。
【０１３５】
配向方法としてはラビングが代表的であるが、ラビングには限らない。光配向技術を用いても良い。
【０１３６】
また、さらなる安定性向上のために、液晶性ジアクリレートモノマーなどの紫外線重合性モノマーを液晶層７０７中に添加し、ベンド配向させた状態で紫外線を照射し、高分子化して安定化を図ることもできる。
【０１３７】
以下、上述の実施形態をさらに具体化した実施例を挙げる。
【０１３８】
（実施例１）
ガラス基板上にＩＴＯをスパッタ成膜し、フォトリソグラフィ−技術を用いて、ＩＴＯ電極をマトリクス状に形成した。第１及び第２の基板に配向膜を塗布し、２００℃で１時間焼成してラビング処理を施した。第１及び第２の基板の周囲にシ−ル剤を塗布し、第１及び第２の基板のラビング方向が平行になるように、かつ、電極がマトリクス状の、すなわち、ＸＹ状の電極を構成するように交互に貼りあわせ、加熱によりシ−ル剤を硬化させた。
【０１３９】
誘電率異方性Δｎが０．１３のネマティック液晶を注入し、注入孔を光硬化性樹脂で封止した。第１及び第２の基板に、偏光板と１／４波長板をそれぞれ逆の円偏光となるように、偏光板の偏光軸と１／４波長板の光軸を４５°傾けて貼り付けた。
【０１４０】
このようにして得られた液晶パネルにバイアス電圧を印加し、配向をスプレイ配向からベンド配向に転移させ、出射光強度を測定したところ、偏光板の透過軸方向に関わらず、出射光強度の最大値は一定であることが確認できた。
【０１４１】
また、ベンド配向であることを反映して、全体に視野角特性の優れた表示が得られ、特に、偏光板の透過軸方向の視角特性が優れていることが確認できた。
【０１４２】
また、応答速度もオンとオフの応答速度を加えても７ｍｓと極めて速いことが確認できた。
【０１４３】
（実施例２）
実施例１と同様にして液晶パネルを組み立てた。
【０１４４】
黒表示電圧である５Ｖにおける液晶層のリタデーションと大きさが等しく、かつ、符号が逆となるように、ディスコティック液晶を用いた光学的に負の複屈折補償板２枚を液晶パネルの前後に貼り付けた後、第１及び第２の基板に、偏光板と１／４波長板をそれぞれ逆の円偏光となるように、偏光板の透過軸と１／４波長板の光軸を４５゜傾けて貼り付けた。
【０１４５】
このようにして得られた液晶パネルにバイアス電圧を印加し、配向をスプレイ配向からベンド配向に転移させ、視角特性を測定したところ、階調反転はほとんどなく、高コントラストの領域が非常に広い優れた視角特性が得られた。
【０１４６】
また、偏光板の透過軸を自由な方向に設定できることも確認できた。また、応答速度も速いことが確認できた。
【０１４７】
（実施例３）
実施例１と同様にして液晶パネルを組み立てた。
【０１４８】
黒表示電圧である５Ｖにおける液晶層のリタデーションと大きさが等しく、かつ、符号が逆になるようにディスコティック液晶を用いた光学的に負の複屈折補償板１枚を液晶パネルの出射側に貼り付けた後、第１及び第２の基板に、偏光板と１／４波長板とをそれぞれ逆の円偏光となるように、偏光板の透過軸と１／４波長板の光軸を４５゜傾けて貼り付けた。一方の１／４波長板は光学的に正であり、他方の１／４波長板は光学的に負となるようにした。この１／４波長板の配置により、２枚の１／４波長板の光軸は平行となり、互いの複屈折を補償し合うことができる。
【０１４９】
このようにして得られた液晶パネルにバイアス電圧を印加し、配向をスプレイ配向からベンド配向に転移させ、視角特性を測定したところ、階調反転はほとんどなく、高コントラストの領域が非常に広い優れた視角特性が得られた。
【０１５０】
また、偏光板の透過軸を自由な方向に設定できることも確認できた。また、応答速度も速いことが確認できた。
【０１５１】
（実施例４）
実施例１と同様にして液晶パネルを組み立てた。
【０１５２】
黒表示電圧である２Ｖにおける液晶層のリタデーションと大きさが等しく、かつ、符号が逆になるように光学的に正の２軸性複屈折補償板１枚を屈折率が最大となる方位をラビング方向と直交させて液晶パネルの出射側に貼り付けた後、第１及び第２の基板に、偏光板と１／４波長板をそれぞれ逆の円偏光となるように、偏光板の透過軸と１／４波長板の光軸を４５゜傾けて貼り付けた。
【０１５３】
このようにして得られた液晶パネルにバイアス電圧を印加し、配向をスプレイ配向からベンド配向に転移させ、視角特性を測定したところ、階調反転はほとんどなく、高コントラストの領域が非常に広い優れた視角特性が得られた。
【０１５４】
また、偏光板の透過軸を自由な方向に設定できることも確認できた。また、応答速度もサブ１０ｍｓと速いことが確認できた。
【０１５５】
（実施例５）
第１の基板上に、走査信号電極を形成し、その上にゲート絶縁膜を形成した。ゲート絶縁膜上に、走査信号電極とマトリクス状に交差した映像信号電極、及び、各交点に対応して複数の薄膜トランジスタを形成し、その上に絶縁層を形成した。絶縁層上に、走査信号電極および映像信号電極で囲まれた各領域に対応した画素電極を形成し、コンタクトホールを介して薄膜トランジスタのドレイン電極と接続した。
【０１５６】
このようにして作製した第１の基板と、遮光層、カラーフィルタ及び共通電極を有する第２の基板とを用いて、実施例１のように液晶パネルを組み立てた。ラビング方向は、各画素の短辺方向に平行に設定した。
【０１５７】
実施例３と同様にして、黒表示電圧時における液晶層のリタデーションと大きさが等しく、かつ、符号が逆になるようにディスコティック液晶を用いた光学的に負の複屈折補償板１枚を液晶パネルの出射側に貼り付けた後、第１及び第２の基板に、偏光板と１／４波長板をそれぞれ逆の円偏光となるように、偏光板の偏光軸と１／４波長板の光軸を４５°傾けて貼り付けた。
【０１５８】
このようにして得られた液晶パネルにバイアス電圧を印加し、配向をスプレイ配向からベンド配向に転移させた。スプレイ配向に転移する画素数を数えることにより、画素電極を走査信号電極、映像信号電極及び薄膜トランジスタと同層上に形成した場合よりも、ベンド配向の安定性に優れることを確認した。
【０１５９】
また、偏光板の偏光軸方向に関わらず、出射光強度の最大値が一定であることも確認された。
【０１６０】
全体に視野角特性の優れた表示が得られ、特に、偏光板の透過軸方向の視角特性が優れていることが確認できた。
【０１６１】
また、応答速度もオンとオフの応答速度を加えても７ｍｓと極めて速いことが確認できた。
【０１６２】
（実施例６）
第１の基板上に、走査信号電極を形成し、その上にゲート絶縁膜を形成した。ゲート絶縁膜上に、走査信号電極とマトリクス状に交差した映像信号電極と、お各交点に対応して複数の薄膜トランジスタとを形成し、その上を絶縁層で覆った。絶縁層上にカラーフィルタ、遮光膜を形成し、さらにオーバーコート膜で覆った。オーバーコート膜上に、走査信号電極及び映像信号電極で囲まれた各領域に対応した画素電極を形成し、コンタクトホールを介して薄膜トランジスタのドレイン電極と接続した。
【０１６３】
このようにして作製した第１の基板と、共通電極を有する第２の基板とを用いて、実施例１のように液晶パネルを組み立てた。ラビング方向は、各画素の短辺方向に平行に設定した。
【０１６４】
実施例５と同様に、黒表示電圧時における液晶層のリタデーションと大きさが等しく、かつ、符号が逆になるようにディスコティック液晶を用いた光学的に負の複屈折補償板１枚を液晶パネルの出射側に貼り付けた後、第１及び第２の基板に、偏光板と１／４波長板をそれぞれ逆の円偏光となるように、偏光板の偏光軸と１／４波長板の光軸を４５°傾けて貼り付けた。
【０１６５】
このようにして得られた液晶パネルにバイアス電圧を印加し、配向をスプレイ配向からベンド配向に転移させた。画素電極を走査信号電極、映像信号電極及び薄膜トランジスタと同層上に形成した場合よりも、ベンド配向の安定性に優れることを確認した。
【０１６６】
また、偏光板の偏光軸方向に関わらず、出射光強度の最大値が一定であることも確認された。
【０１６７】
全体に視野角特性の優れた表示が得られ、特に偏光板の透過軸方向の視角特性が優れていることが確認できた。また、応答速度も極めて速いことが確認できた。
【０１６８】
【発明の効果】
以上のように、本発明に係る液晶表示装置によれば、偏光板の透過軸と１／４波長板の光軸とのなす角度を４５°に保ちさえすれば、ベンド配向になっている液晶層の光学軸の方向に支配されずに、偏光板の透過軸を配置することができる。従って、光学的対称性、ベンド配向の安定性を損なうことなく、使用者の希望に合わせてより望ましい視野角特性が得られる。
【０１６９】
例えば、ディスプレイとしてより自然になるように、水平垂直方向の視野角を広くすることができる。
【０１７０】
さらに、円偏光を利用していることから、ラビング角度が多少ずれても光学特性が大きく悪化することもなく、製造工程上の余裕が生まれるという利点がある。
【図面の簡単な説明】
【図１】本発明の第１の実施形態に係る液晶表示装置の分解構成図である。
【図２】本発明の第２の実施形態に係る液晶表示装置の分解構成図である。
【図３】本発明の第３の実施形態に係る液晶表示装置の分解構成図である。
【図４】本発明の第４の実施形態に係る液晶表示装置の分解構成図である。
【図５】本発明の第５の実施形態に係る液晶表示装置の１画素の平面図である。
【図６】本発明の第５の実施形態に係る液晶表示装置の断面図である。
【図７】本発明の第６の実施形態に係る液晶表示装置の断面図である。
【図８】従来の液晶表示装置の分解構成図である。
【符号の説明】
１０１、２０１、３０１、４０１  ベンド配向をとっている液晶層
１０２、２０２、３０２、４０２  第１の基板
１０３、２０３、３０３、４０３  第２の基板
１０６、２０６、３０６、４０６  第１の偏光板
１０７、２０７、３０７、４０７  第２の偏光板
１０８、２０８、３０８、４０８  第１の１／４波長板
１０９、２０９、３０９、４０９  第２の１／４波長板
２０４  第１の複屈折補償板
３０５  複屈折補償板
５０４  画素電極
５０８  走査信号電極
５１０  映像信号電極
５１１  薄膜トランジスタ
６０１、７０１  第１の基板
６０２、７０２  共通電極
６０３、７０３  配向膜
６０４、７０４  画素電極
６０５、７０５  絶縁層
６０６、７０６  第２の基板
６０７、７０７  液晶分子
６０８、７０８  走査信号電極（ゲート電極）
６０９、７０９  ゲート絶縁膜
６１０、７１０  映像信号電極（ソース電極）
６１１、７１１  薄膜トランジスタ
６１２、７１２  ドレイン電極
６１３、７１３  カラーフィルタ
６１４、７１４  コンタクトホール
６１５、７１５  遮光膜
７１６  オーバーコート膜
【図１】
0003776844.tif 000002
【図２】
0003776844.tif 000003
【図３】
0003776844.tif 000004
【図４】
0003776844.tif 000005
【図５】
0003776844.tif 000006
【図６】
0003776844.tif 000007
【図７】
0003776844.tif 000008
【図８】
0003776844.tif 000009